(57)【要約】【課題】本発明は、作業効率を向上し、異物の拡散を防止し得る異物除去装置の提供を目的とするものである。【解決手段】異物除去装置１は、遊技機の形成物品の所定領域を覆うための開口部１１を有するケース状のカバー１０と、カバー１０内にエアーを送り込むエアー吹出装置３０と、カバー内の電荷を除去する除電装置４０と、カバー１０内のエアーとともに異物を吸引するエアー吸引装置２０とを備える。【選択図】図２
2008104690.tif 000002
【特許請求の範囲】
【請求項１】
遊技機の形成物品の所定領域を覆うための開口部を有するケース状のカバーと、
前記カバーに設けられたエアー吹出口から前記カバー内にエアーを送り込むエアー吹出装置と、
前記カバー内の電荷を除去する除電装置と、
前記カバーに設けられたエアー吸引口から前記カバー内のエアーとともに異物を吸引するエアー吸引装置とを備えることを特徴とする異物除去装置。
【請求項２】
前記カバー内に設けられ、前記遊技機の形成部品に付着している異物を掃き出すためのブラシを備え、
前記カバーは、前記カバーの内部空間として、前記ブラシの中心軸よりエアー吹出口側の空間である除電化空間、及び前記ブラシの中心軸より前記エアー吸引口側の空間である吸引空間を有し、
前記エアー吹出装置は、前記エアー吹出口から前記除電化空間にエアーを送り込み、
前記エアー吸引装置は、前記エアー吸引口から前記吸引空間におけるエアーとともに異物を吸引することを特徴とする請求項１に記載の異物除去装置。
【請求項３】
前記エアー吹出装置から送り込まれたエアーは、吹出流路を介して前記エアー吹出口から前記カバー内に送り込まれ、
前記除電装置は、イオンを生成しかつ生成したイオンを前記吹出流路に供給し、
前記エアー吹出口からイオンを含有したエアーを送り込むことにより、前記カバー内の異物に帯電する電荷を中和することを特徴とする請求項１又は２に記載の異物除去装置。
【請求項４】
前記カバーは、内壁が略流線型の滑面により形成されることを特徴とする請求項１から３のいずれか１項に記載の異物除去装置。
【発明の詳細な説明】
【技術分野】
【０００１】
本発明は、異物除去装置に関し、特に、遊技機の形成部品の所定領域を覆うための開口部を有する異物除去装置に関する。
【背景技術】
【０００２】
弾球遊技機や回動式遊技機やスロットマシンなどの遊技機の製造において、表面に意匠図が描かれた遊技盤をテーブルに位置決め搭載し、このテーブル及びテーブルの上方に設置された刃物を加工データによる加工位置と加工順序とに従って平面内の縦横に相対的に移動するとともに、刃物を回転駆動して、遊技盤に開口を形成するルーター加工装置などの製造装置を用いる。
【０００３】
従来のルーター加工装置などの製造装置では、加工の際に刃物より舞い上がる切削屑などの異物を刃物の周辺に設けた集塵ダクトで吸引しているが、遊技盤より落下した異物はルーター加工が終了する毎に、作業者がエアーノズルでテーブルの後方に向けて吹き飛ばし、この吹き飛ばされた異物を就業終了時に電気掃除機や箒などで清掃しており、生産効率の低下が否めなかった。
【０００４】
このため、遊技盤に付着した切削屑をテーブルより下方に落下させて自動的に集塵し、生産効率を向上することができる異物除去装置が提供されている（特許文献１）。
【０００５】
また、遊技場においても、就業終了時に遊技機に付着した埃などの異物を電気掃除機や箒などで清掃している。
【０００６】
【特許文献１】特開平１０−１５１２４０号公報
【発明の開示】
【発明が解決しようとする課題】
【０００７】
しかしながら、上記の異物除去装置であっても、化学的（静電気）吸着と、物理的（隙間に詰まるなど）な引っ掛かりによって、付着した異物は除去することが難しい。このため、入念なエアーブローが必要となり、稼働率を悪化させる要因となっている。
【０００８】
このため、製造工程において、作業員が作業する必要があり、工場ラインの自動化ができないため作業効率が悪く、製造コストの低減を図ることができない。また、空気中に舞った加工屑などの異物は、製造装置の耐用年数を著しく悪化させている。
【０００９】
また、遊技場においても、就業終了時に遊技機に付着した埃などの異物を電気掃除機や箒などで清掃しているが、例えば、弾球遊技機の遊技盤上では静電気が発生しやすく、静電気によって吸着した異物を除去するのは困難である。このため、入念な清掃が必要となり、作業効率が悪い。さらに、飛散した異物が遊技機の制御回路などに付着することによって遊技機の耐用年数を著しく悪化させている。
【００１０】
このため、異物除去に係る作業効率を向上し、異物の拡散を防止し得る異物除去装置の提供が求められてきている。
【００１１】
本発明は、作業効率を向上し、異物の拡散を防止し得る異物除去装置の提供を目的とするものである。
【課題を解決するための手段】
【００１２】
（１）  遊技機の形成物品の所定領域を覆うための開口部を有するケース状のカバーと、前記カバーに設けられたエアー吹出口から前記カバー内にエアーを送り込むエアー吹出装置と、前記カバー内の電荷を除去する除電装置と、前記カバーに設けられたエアー吸引口から前記カバー内のエアーとともに異物を吸引するエアー吸引装置とを備えることを特徴とする異物除去装置。
【００１３】
（１）の発明によれば、ケース状のカバーによって、異物の空気中への飛散を低減させる。さらに、異物の空気中への飛散を低減させることにより、空気中に飛散する異物による製造装置や遊技機の耐用年数の悪化を防止することができる。さらに、除電装置によってカバー内の異物の静電気を除去し、静電気による異物の吸着力を弱めることにより、エアー吸引装置による異物の吸引機能を高め、清掃作業が効率的にできる。このため、作業効率を向上し、異物の拡散を防止し得る異物除去装置を提供することが可能である。
【００１４】
（２）  （１）に記載の異物除去装置において、前記カバー内に設けられ、前記遊技機の形成部品に付着している異物を掃き出すためのブラシを備え、前記カバーは、前記カバーの内部空間として、前記ブラシの中心軸よりエアー吹出口側の空間である除電化空間、及び前記ブラシの中心軸より前記エアー吸引口側の空間である吸引空間を有し、前記エアー吹出装置は、前記エアー吹出口から前記除電化空間にエアーを送り込み、前記エアー吸引装置は、前記エアー吸引口から前記吸引空間におけるエアーとともに異物を吸引することを特徴とする異物除去装置。
【００１５】
（２）の発明によれば、（１）の発明に加えて、ブラシにより、物理的に異物を掃き出し、吸引機能を高めることができる。さらに、除電化空間において電荷除去が行われた後に、異物が掃き出され、吸引空間において吸引されることになるので、より吸引効果を高めることができる。このため、作業効率を向上し、異物の拡散を防止し得る異物除去装置を提供することが可能である。
【００１６】
（３）  （１）又は（２）に記載の異物除去装置において、前記エアー吹出装置から送り込まれたエアーは、吹出流路を介して前記エアー吹出口から前記カバー内に送り込まれ、前記除電装置は、イオンを生成しかつ生成したイオンを前記吹出流路に供給し、前記エアー吹出口からイオンを含有したエアーを送り込むことにより、前記カバー内の異物に帯電する電荷を中和することを特徴とする異物除去装置。
【００１７】
（３）の発明によれば、（１）又は（２）の発明に加えて、イオンを生成して排出流路に供給し、吹出流路を介してエアー吹出口からイオンを含有するエアーが送り込まれるため除電効果が高まり、より吸引効果を高めることにより、異物の拡散を防止し、作業効率を高めることができる。このため、作業効率を向上し、異物の拡散を防止し得る異物除去装置を提供することが可能である。
【００１８】
（４）  （１）から（３）のいずれかに記載の異物除去装置において、前記カバーは、内壁が略流線型の滑面により形成されることを特徴とする異物除去装置。
【００１９】
（４）の発明によれば、（１）から（３）のいずれかの発明に加えて、カバーの内壁が略流線型の滑面により形成されるため、異物がカバーの内部に滞留することが防止でき、より効果的に異物を吸引することができる。このため、作業効率を向上し、異物の拡散を防止し得る異物除去装置を提供することが可能である。
【発明の効果】
【００２０】
本発明によれば、ケース状のカバーによって、異物の空気中への飛散を低減させ、除電装置によってカバー内の静電気を除去し、エアー吸引装置による異物の吸引機能を高め、清掃作業が効率的にでき、作業効率を向上し、異物の拡散を防止し得る異物除去装置を提供することが可能である。
【発明を実施するための最良の形態】
【００２１】
［第１実施形態］
図１と図２を用いて、本発明に係る異物除去装置の第１実施形態を以下に説明する。
【００２２】
［異物除去装置の構造］
第１実施形態に係る異物除去装置１は、弾球遊技機などの遊技機の製造工程で使用される異物除去装置である。異物除去装置１は、製造中の遊技機の遊技板２１１４を搬送する搬送部５０と、搬送部５０の所定領域を覆うカバー１０と、カバー１０と連結しエアーを吸引するエアー吸引装置２０と、カバー１０と連結しエアーを送り込むエアー吹出装置３０とを備えて構成されている。
【００２３】
カバー１０は、ケース状で構成され、好ましくは、中空の略円柱部材をその中心軸に沿って切断したような形状のケース状に構成されている。さらに、好ましくは、カバー１０は、内壁が略流線型の滑面により形成されている。カバー１０は、カバー本体部１３と、搬送部５０に対向して設けられ、遊技機の形成物品の所定領域を覆う開口部１１と、エアー吹出装置３０に連結し、エアー吹出装置３０から送り込まれるエアーをカバー１０の内部に送り込むエアー吹出口１４と、エアー吸引装置２０に連結し、エアー吸引装置２０によってカバー１０内のエアーともに異物を吸引するエアー吸引口１２と、カバー本体部１３における略半円状の両側面部に枢着し、遊技機の形成部品に付着している異物を掃き出すブラシ１５が設けられている。また、図示しないが、ブラシ１５を回転させる駆動装置（例えば、モータ）と連結している。なお、本実施形態において、ブラシ１５は、ロールブラシである。しかし、本発明はこれに限定されず、ブラシは、ネジリブラシや、コイルブラシや、エンドブラシなど他の形状のブラシであってもよい。また、ブラシ１５の素材は、ポリプロピレン、ラムウール、ポリエステル、レーヨン、ポリエチレン、ナイロンなど化学繊維や、天然ウール、馬毛、豚毛などの動物繊維や、バーム、シダ、シュロなどの植物繊維や、ステレンス線、真鍮線などの金属繊維であってもよい。このように、カバー１０は、遊技機の形成物品の所定領域を覆うための開口部を有するケース状のカバーの一例である。このように、カバー１０は、内壁が略流線型の滑面により形成されるカバーの一例である。このように、ブラシ１５は、カバー内に設けられ、遊技機の形成部品に付着している異物を掃き出すためのブラシの一例である。
【００２４】
また、カバー１０は、ブラシ１５の中心軸よりエアー吹出口１４側の空間である除電化空間、及びブラシ１５の中心軸よりエアー吸引口１２側の空間である吸引空間をその内部空間として有している。このように、カバー１０は、カバーの内部空間として、ブラシの中心軸よりエアー吹出口側の空間である除電化空間、及びブラシの中心軸よりエアー吸引口側の空間である吸引空間を有するカバーの一例である。
【００２５】
エアー吹出装置３０は、カバー１０のエアー吹出口１４と連結する吹出流路３５と、エアー発生部（図示せず）とを備える。エアー吹出装置３０から送り込まれたエアーは、吹出流路３５を介してエアー吹出口１４からカバー１０内に送り込まれる。エアー発生部は、エアーポンプや、ファンなど圧縮エアーを発生し得るいかなる装置であってもよい。このように、エアー吹出装置３０は、カバーに設けられたエアー吹出口からカバー内にエアーを送り込むエアー吹出装置の一例である。このように、エアー吹出装置３０は、エアー吹出口から除電化空間にエアーを送り込むエアー吹出装置の一例である。
【００２６】
エアー吸引装置２０は、カバー１０のエアー吸引口１２と連結する連結部と、エアー吸引部（図示せず）とを備える。エアー吸引部は、エアーポンプや、ファンなどエアーを吸引し得るいかなる装置であってもよい。このように、エアー吸引装置２０は、カバーに設けられたエアー吸引口からカバー内のエアーとともに異物を吸引するエアー吸引装置の一例である。このように、エアー吸引装置２０は、エアー吸引口から吸引空間におけるエアーとともに異物を吸引するエアー吸引装置の一例である。
【００２７】
除電装置４０は、エアー吹出装置３０の吹出流路３５と連結する吹出流路連結部４５と、除電部とを備える。除電部は、例えば、イオンを生成することによって除電するイオナイザーである。また、除電部としてのイオナイザーは、放電針に高電圧を印加しイオンを作り出すものでも、光線でイオンを作り出すものでもよい。このように、除電装置４０は、カバー内の電荷を除去する除電装置の一例である。このように、除電装置４０は、イオンを生成しかつ生成したイオンを吹出流路に供給する除電装置の一例である。
【００２８】
搬送部５０は、搬送本体部５２と、搬送本体部５２に枢着し遊技板２１１４などの遊技機の形成物品を搬送するローラ５４とを備える。なお、本実施形態においては、遊技機の形成物品を搬送する搬送手段の一例としてローラ５４を記載したが、本発明はこれに限定されず、ベルトなど他の搬送手段であってもよい。また、本実施例においては、遊技板２１１４など遊技機の形成部品を搬送したが、形成部品を固定し異物除去装置１を移動させてもよい。
【００２９】
［異物除去装置の作用］
異物除去装置１の搬送部５０のローラ５４が回転することによって、加工された遊技板２１１４が異物除去装置１の開口部１１に搬送される。遊技板２１１４が開口部１１に達すると、除電装置４０がイオンを生成し、吹出流路連結部４５から生成したイオンを吹出流路３５に供給する。エアー吹出装置３０は、イオンを含有した圧縮エアーをエアー吹出口１４を介してカバー１０の内部に送り込む。送り込まれたイオンを含有した圧縮エアーによって、カバー１０内に多くのイオンが供給される除電化空間を形成する。帯電している遊技板２１１４は、除電化空間に搬送されることによって、除電される。つまり、異物除去装置１は、エアー吹出口１４からイオンを含有したエアーを送り込むことにより、カバー１０内の異物に帯電する電荷を中和する。中和された異物は、吸着力が失われることによって遊技板２１１４から遊離する。また、遊技板２１１４に付着する異物は、圧縮エアーにブローされることによって遊離する。さらに、ブラシ１５が遊技板２１１４の搬送方向に対して逆回転することによって、遊技板２１１４に付着している異物を除電化空間に向かって掃き出す。除電化空間に向かって掃き出された異物は除電される。エアー吸引装置２０は、エアー吸引口１２からエアーを吸引することによって、陰圧の吸引空間を形成する。遊技板２１１４に付着していた異物は、除電化空間から吸引空間に移行し、エアー吸引口１２を介してエアー吸引装置２０によって吸引される。
【００３０】
本実施形態によれば、遊技機の製造工程において、ケース状のカバー１０によって、遊技機の形成部品に付着した異物の空気中への飛散を低減させる。さらに、異物の空気中への飛散を低減させることにより、空気中に飛散する異物による製造装置の耐用年数の悪化を防止することができる。さらに、除電装置４０によってカバー１０内の異物の静電気を除去し、静電気による異物の吸着力を弱めることにより、エアー吸引装置２０による異物の吸引機能を高め、清掃作業が効率的にできる。
【００３１】
さらに、本実施形態によれば、除電装置４０がイオンを生成し排出流路に供給し、排出流路を介して排出口からエアーが吹き出されるため除電効果が高まり、より吸引効果を高めることにより、異物の拡散を防止し、作業効率を高めることができる。
【００３２】
さらに、本実施形態によれば、ブラシ１５により、物理的に異物を掃き出し、吸引機能を高めることができる。イオン化空間（除電化空間）において電荷除去が行われた後に、異物が掃き出され、吸引空間において吸引されることになるので、より吸引効果を高めることができる。
【００３３】
さらに、本実施形態によれば、カバー１０の内壁が略流線型の滑面により形成されるため、異物がカバーの内部に滞留することが防止でき、より効果的に異物を吸引することができる。
【００３４】
［第２実施形態］
図３から図５を用いて、本発明に係る異物除去装置の第２実施形態について以下に説明する。
【００３５】
［異物除去装置の構造］
第２実施形態に係る異物除去装置１００は、遊技場で遊技機に対して使用される異物除去装置である。異物除去装置１００は、遊技機２０００の所定領域を覆うカバー１１０と、カバー１１０と連結しエアーを吸引するエアー吸引装置１２０と、カバー１１０と連結しエアーを送り込むエアー吹出装置１３０と、カバー１１０に設けられた持ち手１１７とを備えて構成されている。
【００３６】
カバー１１０は、ケース状で構成され、好ましくは、外壁が卵を中心軸に沿って切断したような形状のケース状で構成され、内壁が略流線型の滑面により形成されている。さらに作業者が作業を行いやすいように持ち手１１７が設けられている。カバー１１０は、カバー本体部と、遊技機２０００の形成物品の所定領域を覆う開口部１１１と、エアー吹出装置１３０に連結し、エアー吹出装置１３０から送り込まれるエアーをカバー１１０の内部に送り込むエアー吹出口１４１と、エアー吸引装置１２０に連結し、エアー吸引装置１２０によってカバー１１０内のエアーともに異物を吸引するエアー吸引口１１２と、カバー本体に枢着し、遊技機の形成部品（例えば、遊技盤）に付着している異物を掃き出すブラシ１１５が設けられている。
【００３７】
また、カバー１１０は、ブラシ１１５の中心軸よりエアー吹出口１４１側の空間である除電化空間、及びブラシ１１５の中心軸よりエアー吸引口１１２側の空間である吸引空間をその内部空間として有している。
【００３８】
エアー吹出装置１３０は、カバー１１０のエアー吹出口１４１と連結する吹出流路１３５と、エアー発生部（図示せず）とを備える。エアー発生部は、エアーポンプや、ファンなど圧縮エアーを発生し得るいかなる装置であってもよい。
【００３９】
エアー吸引装置１２０は、ごみパック１５０と、ごみパック１５０と連結しカバー１１０のエアー吸引口１１２と連結する連結部１１３と、エアー吸引部（図示せず）とを備える。エアー吸引部は、エアーポンプや、ファンなどエアーを吸引し得るいかなる装置であってもよい。
【００４０】
除電装置１４０は、エアー吹出装置１３０の吹出流路と連結する吹出流路連結部と、除電部とを備える。除電部は、例えば、イオンを生成することによって除電するイオナイザーである。また、除電部としてのイオナイザーは、放電針に高電圧を印加しイオンを作り出すものでも、光線でイオンを作り出すものでもよい。
【００４１】
［異物除去装置の作用］
図５は、遊技場の管理者１０００が異物除去装置１００を用いて遊技機２０００を清掃している状態を示す説明図である。図５に示すように、遊技場の管理者１０００が、遊技機２０００に異物除去装置１００の開口部１１１を対向する。除電装置４０がイオンを生成し、生成したイオンを吹出流路１３５に供給する。エアー吹出装置１３０は、イオンを含有した圧縮エアーをエアー吹出口１４１を介してカバー１１０の内部に送り込む。送り込まれたイオンを含有した圧縮エアーによって、カバー１１０の内部にイオンが多く供給される除電化空間を形成する。帯電している遊技機２０００に付着している異物は、除電化空間において除電され遊離する。さらに、送り込まれた圧縮エアーによって、遊技機２０００に付着している異物が遊離する。さらに、ブラシ１１５が圧縮エアーによって回転することによって、遊技機２０００に付着している異物を掃き出す。エアー吸引装置１２０は、エアー吸引口１１２からエアーを吸引することによって、陰圧の吸引空間を形成する。遊技機２０００に付着していた異物は、吸引空間に移行し、エアー吸引口１１２を介してエアー吸引装置１２０によって吸引される。
【００４２】
本実施形態によれば、遊技場における遊技機の清掃において、ケース状のカバー１１０によって、遊技機の形成部品に付着した異物の空気中への飛散を低減させる。さらに、異物の空気中への飛散を低減させることにより、空気中に飛散する異物が遊技機の制御回路などに付着することなどによる遊技機の耐用年数の悪化を防止することができる。さらに、除電装置１４０によってカバー１１０内の異物の静電気を除去し、静電気による異物の吸着力を弱めることにより、エアー吸引装置１２０による異物の吸引機能を高め、清掃作業が効率的にできる。
【００４３】
さらに、本実施形態によれば、除電装置１４０がイオンを生成し排出流路１３５に供給し、排出流路１３５を介して排出口１４１からエアーが吹き出されるため除電効果が高まり、より吸引効果を高めることにより、異物の拡散を防止し、作業効率を高めることができる。
【００４４】
さらに、本実施形態によれば、ブラシ１１５により、物理的に異物を掃き出し、吸引機能を高めることができる。イオン化空間において電荷除去が行われた後に、異物が掃き出され、吸引空間において吸引されることになるので、より吸引効果を高めることができる。
【００４５】
さらに、本実施形態によれば、カバー１１０の内壁が略流線型の滑面により形成されるため、異物がカバーの内部に滞留することが防止でき、より効果的に異物を吸引することができる。
【００４６】
さらに、本実施形態によれば、ブラシ１１５が圧縮エアーによって回転するため、異物除去装置１００の消費電力を抑え、バッテリー交換の回数を減らし、異物除去に係る作業効率を向上させることができる。
【００４７】
さらに、本実施形態によれば、ごみパック１５０に異物が集まるため、遊技場管理者は、ごみパック１５０を交換することによって、異物除去装置２００内に集まった異物を除去できるので、異物除去に係る作業効率を向上させることができる。
【００４８】
［第３実施形態］
図６を用いて、本発明に係る異物除去装置の第３実施形態を以下に説明する。
【００４９】
［異物除去装置の構造］
本発明に係る第３実施形態の異物除去装置２００は、遊技場において、遊技場管理者が使用する異物除去装置である。本実施形態の特徴を明確化するため、第２実施形態との採点を中心に説明し、第２実施形態と同様の部分の説明は省略する。
【００５０】
カバー２１０は、カバー本体部と、遊技機の形成物品の所定領域を覆う開口部２１１と、エアー吹出装置に連結し、エアー吹出装置２３０から送り込まれるエアーをカバー２１０の内部に送り込むエアー吹出口２３１と、除電装置２４０に連結し、除電装置２４０から送り込まれるイオンをカバー２１０の内部に送り込むイオン吹出口２４１と、カバー２１０に枢着するブラシ２１５と、エアー吸引装置２２０にごみパック２５０を介して連結し、エアー吸引装置２２０によってカバー２１０内のエアーともに異物を吸引するエアー吸引口２１２とが設けられている。
【００５１】
［異物除去装置の作用］
遊技場の管理者が、遊技機に異物除去装置２００の開口部２１１を対向する。除電装置２４０がイオンを生成し、生成したイオンをイオン吹出口２４１に供給する。エアー吹出装置１３０は、圧縮エアーをエアー吹出口２３１を介してカバー２１０の内部に送り込む。送り込まれた圧縮エアーによって、イオン吹出口２４１から供給されるイオンを多く含有する除電化空間が形成される。帯電している遊技機は、除電化空間によって除電される。さらに、ブラシ２１５が圧縮エアーによって回転することによって、遊技機に付着している異物を掃き出す。エアー吸引装置２２０は、エアー吸引口２１２からエアーを吸引することによって、陰圧の吸引空間を形成する。遊技機に付着していた異物は、吸引空間に移行し、エアー吸引口２１２を介して吸引され、ごみパック２５０に集められる。
【００５２】
本実施形態によれば、ごみパック２５０がエアー吸引口２１２の近傍にあるため、より異物を集めることが容易になる。さらに、エアー吹出口２３１と、イオン吹出口２４１とを設けることによって、異物除去装置の小型化が可能になる。
【００５３】
［第４実施形態］
図７を用いて、本発明に係る異物除去装置の第４実施形態を以下に説明する。
【００５４】
本発明に係る第４実施形態の異物除去装置３００は、遊技場において、遊技場管理者が使用する異物除去装置である。本実施形態の特徴を明確化するため、第２実施形態との差異点を中心に説明し、第２実施形態と同様の部分の説明は省略する。
【００５５】
［異物除去装置の構造］
カバー３１０は、カバー本体部と、遊技機の形成物品の所定領域を覆う開口部３１１と、エアー吹出装置３４０に連結し、エアー吹出装置３４０から送り込まれるイオンを含有するエアーをカバー３１０の内部に送り込むエアー吹出口３３１と、カバー３１０に設けられたほうき状のブラシ３１５と、エアー吸引装置３２０に連結し、エアー吸引装置３２０によってカバー３１０内のエアーともに異物を吸引するエアー吸引口３１２とが設けられている。
【００５６】
［異物除去装置の作用］
遊技場の管理者が、遊技機に異物除去装置の開口部３１１を対向する。エアー吹出装置３４０は、除電装置３３０が生成したイオンを含有する圧縮エアーをエアー吹出口３３１を介してカバー３１０の内部に送り込む。送り込まれた圧縮エアーによって、エアー吹出口３３１から供給されるイオンを多く含有する除電化空間が形成される。帯電している遊技機は、除電化空間によって除電される。さらに、遊技場の管理者は、ブラシ３１５によって、遊技機に付着している異物を掃き出す。エアー吸引装置３２０は、エアー吸引口３１２からエアーを吸引することによって、陰圧の吸引空間を形成する。遊技機に付着していた異物は、吸引空間に移行し、エアー吸引口３１２を介して吸引されて集められる。
【００５７】
本実施形態において、ブラシ３１５の形が単純のため、異物除去装置３００が故障しにくい。さらに、異物除去装置３００の構造が単純で製造しやすい。
【００５８】
本実施形態によれば、ケース状のカバーによって、異物の空気中への飛散を低減させる。さらに、異物の空気中への飛散を低減させることにより、空気中に飛散する異物が遊技機の制御回路などに付着することなどによる遊技機の耐用年数の悪化を防止することができる。さらに、除電装置によってカバー内の異物の静電気を除去し、静電気による異物の吸着力を弱めることにより、エアー吸引装置による異物の吸引機能を高め、清掃作業が効率的にできる。このため、作業効率を向上し、異物の拡散を防止し得る異物除去装置を提供することが可能である。
【００５９】
さらに、本実施形態によれば、イオンを生成し排出流路に供給し、排出流路を介して排出口からエアーが吹き出されるため除電効果が高まり、より吸引効果を高めることにより、異物の拡散を防止し、作業効率を高めることができる。このため、作業効率を向上し、異物の拡散を防止し得る異物除去装置を提供することが可能である。
【００６０】
さらに、本実施形態によれば、ブラシにより、物理的に異物を掃き出し、吸引機能を高めることができる。イオン化空間において電荷除去が行われた後に、異物が掃き出され、吸引空間において吸引されることになるので、より吸引効果を高めることができる。このため、作業効率を向上し、異物の拡散を防止し得る異物除去装置を提供することが可能である。
【００６１】
さらに、本実施形態によれば、カバーの内壁が略流線型の滑面により形成されるため、異物がカバーの内部に滞留することが防止でき、より効果的に異物を吸引することができる。このため、作業効率を向上し、異物の拡散を防止し得る異物除去装置を提供することが可能である。
【図面の簡単な説明】
【００６２】
【図１】本発明の第１実施形態に係る異物除去装置を説明する概観図である。
【図２】本発明の第１実施形態に係る異物除去装置の作用を説明する説明図である。
【図３】本発明の第２実施形態に係る異物除去装置を説明する概観図である。
【図４】本発明の第２実施形態に係る異物除去装置を説明する断面図である。
【図５】本発明の第２実施形態に係る異物除去装置の作用を説明する説明図である。
【図６】本発明の第３実施形態に係る異物除去装置を説明する概観図である。
【図７】本発明の第４実施形態に係る異物除去装置を説明する概観図である。
【符号の説明】
【００６３】
１  異物除去装置
１０  カバー
１１  開口部
１２  エアー吸引口
１３  カバー本体部
１４  エアー吹出口
１５  ブラシ
２０  エアー吸引装置
３０  エアー吹出装置
４０  除電装置
５０  搬送部
５２  搬送本体部
５４  ローラ
【図１】
2008104690.tif 000003
【図２】
2008104690.tif 000004
【図３】
2008104690.tif 000005
【図４】
2008104690.tif 000006
【図５】
2008104690.tif 000007
【図６】
2008104690.tif 000008
【図７】
2008104690.tif 000009